(57)【要約】      （修正有）【課題】物品を収納した包装用箱をフックで吊下げるとき、物品の重量が大きい場合でも、上蓋フラップが開いたり、膨れ上がったりすることがなく、箱体が垂直状態に整然と吊下げられるようにした包装用箱を提供する。【解決手段】上蓋片を折り込むことによって箱体１の天面６を閉塞した状態で、該上蓋片の上方に左右の内フラップ２３ａ、２３ｂを折込み、この左右の内フラップの上部に上蓋フラップ２５を折込んで被せた状態で差込係止片２７を案内スリット２８に差し込むと共に、第２の吊下片３３を立ち上げてなる切開部３９に第１の吊下片３６を立ち上げて挿通することにより、第１の吊下片と第２の吊下片とを合致し、両方の吊下片に形成された吊下穴３４を合致した状態でフックＦに挿入可能とした。【選択図】図５
2012041065.tif 000002
【特許請求の範囲】
【請求項１】
箱体の周部を構成する正面と背面と左右の側面と、開閉可能な天面と、閉塞可能な底面とを備えた包装用箱において、
箱体の正面の上縁に沿う折曲線を介して折り曲げることにより箱体の天面を閉塞する上蓋片と、該上蓋片に折曲線を介して延長された上蓋差込片と、左右の側面の上縁に折曲線を介して延長された左右の内フラップと、箱体の背面の上縁に沿って切離しを可能とするように形成された切離折曲線を介して折り曲げることにより箱体の天面を閉塞する上蓋フラップと、該上蓋フラップの先端に沿う折曲線を介して延長された所定幅の差込係止片とを有し、
該差込係止片を差し込み可能に切開された所定幅の案内スリットが箱体の正面の上縁に沿って形成されると共に、
上蓋片の面内に形成された所定長さの折曲線の両端から案内スリットに到るまで切込線で切り込まれた第１の吊下片が折曲線で折り曲げられることによって立上げ可能に形成される一方、
上蓋フラップの面内に形成された所定長さの折曲線の両端から切離折曲線に至るまで切込線で切り込まれてなる第２の吊下片が折曲線で折り曲げられることによって立上げ可能に形成され、
上蓋片を折り込むことによって箱体の天面を閉塞した状態で、該上蓋片の上方に左右の内フラップを折込み、この左右の内フラップの上部に上蓋フラップを折込んで被せた状態で差込係止片を案内スリットに差し込むと共に、第２の吊下片を立ち上げてなる切開部に第１の吊下片を立ち上げて挿通することにより、第１の吊下片と第２の吊下片とを合致し、両方の吊下片に形成された吊下穴を合致した状態でフックに挿入可能としたことを特徴とする包装用箱。
【請求項２】
差込係止片と上蓋フラップとの境界をなす折曲線の両端には互いに内側へ切込まれた切込溝が形成されると共に、各切込溝の上部に差込係止片の両端を突出してなる爪部が形成され、
箱体の正面の上縁に沿う中央部において差込係止片を差し込み可能に切開された所定幅の案内スリットの両端が下方斜め方向へ切開された拡開傾斜部を有すると共に、左右の拡開傾斜部の上部に左右の係止突起が形成され、
差込係止片を案内スリットに差し込んだとき、該差込係止片の両端の爪部が案内スリットの各拡径傾斜部の上部に形成された夫々の係止突起に係止されることによって上蓋フラップを閉止するようにしたことを特徴とする請求項１記載の包装用箱。
【請求項３】
上蓋フラップと背面の境界をなす切離折曲線の略中央に沿って背面の上部に所定幅を有する押込片がミシン目状の切離線によって形成され、箱体の天面を上蓋片で閉塞すると共に該上蓋片の上方が上蓋フラップで閉塞された状態で、押込片が上蓋差込片に接着されていることを特徴とする請求項１又は２記載の包装用箱。
【発明の詳細な説明】
【技術分野】
【０００１】
本発明は、商店等において、物品を収納した箱体をフックに吊下げた状態で陳列するようにした包装用箱に関する。
【背景技術】
【０００２】
従来から、物品を包装用箱に収納して店頭に出品する際、包装用箱の上部に吊下片を設け、この吊下片に形成した吊下穴にフックを挿通した状態で陳列することが行われている。
【０００３】
上記のようにフックに吊下げた状態で陳列をするようにした従来の包装箱の例として、特許文献１を参照する。この文献に記載されている包装用容器は、箱体の上蓋フラップに切取線で形成された係合体が設けられ、この係合体を切取線で切り取って立ち上げると、係合体は背板の面に沿って延長上に突出する構成とされている。
【０００４】
また、係合体には円形切取線で形成された穴が形成され、この穴にフックを挿通することによって、箱体を吊り下げることが可能とされている。
【０００５】
ところで、上記の構成において、フックで吊下げられる係合体は、背板の面の延長上に突出しているため、箱体に重量の大きい物品を収納した場合であっても、係合体を引張る力は箱体の背板に作用し、上蓋フラップを開くような力が作用することはない。
【０００６】
ところが、上記の箱体の構造において、係合体は背板の面の延長上に突出しているため、これをフックで吊下げた状態にすると、箱体の前面が斜め下方を向き、商品の表示面が隠れてしまい、陳列状態が綺麗な状態に整わないという不都合があった。
【０００７】
これに対して、フックで吊下げた箱体が垂直状態となるように陳列するには、上記の文献の構造で云えば、フックを吊下げる係合片が上蓋フラップの中央から突出した構造とするのが望ましい。しかしながら、係合片が上蓋フラップの中央から突出した構造にすると、箱体に重量の大きな物品を収納した際、上蓋フラップが開いてしまうか、上蓋フラップをシール等で閉塞している場合でも、上蓋フラップの中央が膨れ上がった状態となって、見栄えが悪くなるという欠点があった。
【先行技術文献】
【特許文献】
【０００８】
【特許文献１】特開２００６−１６０３３４号公報
【発明の概要】
【発明が解決しようとする課題】
【０００９】
本発明は、上記の事情に鑑みてなされたものであり、物品を収納した包装用箱をフックで吊下げるとき、物品の重量が大きい場合でも、上蓋フラップが開いたり、膨れ上がったりすることがなく、箱体が垂直状態に整然と吊下げられるようにした包装用箱を提供することを目的とする。
【課題を解決するための手段】
【００１０】
上記の課題を解決するために、本発明における請求項１の包装用箱は、箱体の周部を構成する正面と背面と左右の側面と、開閉可能な天面と、閉塞可能な底面とを備えた包装用箱において、箱体の正面の上縁に沿う折曲線を介して折り曲げることにより箱体の天面を閉塞する上蓋片と、該上蓋片に折曲線を介して延長された上蓋差込片と、左右の側面の上縁に折曲線を介して延長された左右の内フラップと、箱体の背面の上縁に沿って切離しを可能とするように形成された切離折曲線を介して折り曲げることにより箱体の天面を閉塞する上蓋フラップと、該上蓋フラップの先端に沿う折曲線を介して延長された所定幅の差込係止片とを有し、該差込係止片を差し込み可能に切開された所定幅の案内スリットが箱体の正面の上縁に沿って形成されると共に、上蓋片の面内に形成された所定長さの折曲線の両端から案内スリットに到るまで切込線で切り込まれた第１の吊下片が折曲線で折り曲げられることによって立上げ可能に形成される一方、上蓋フラップの面内に形成された所定長さの折曲線の両端から切離折曲線に至るまで切込線で切り込まれてなる第２の吊下片が折曲線で折り曲げられることによって立上げ可能に形成され、上蓋片を折り込むことによって箱体の天面を閉塞した状態で、該上蓋片の上方に左右の内フラップを折込み、この左右の内フラップの上部に上蓋フラップを折込んで被せた状態で差込係止片を案内スリットに差し込むと共に、第２の吊下片を立ち上げてなる切開部に第１の吊下片を立ち上げて挿通することにより、第１の吊下片と第２の吊下片とを合致し、両方の吊下片に形成された吊下穴を合致した状態でフックに挿入可能としたことを特徴とする。
【００１１】
また、本発明の請求項２の包装用箱は、請求項１において、差込係止片と上蓋フラップとの境界をなす折曲線の両端には互いに内側へ切込まれた切込溝が形成されると共に、各切込溝の上部に差込係止片の両端を突出してなる爪部が形成され、
箱体の正面の上縁に沿う中央部において差込係止片を差し込み可能に切開された所定幅の案内スリットの両端が下方斜め方向へ切開された拡開傾斜部を有すると共に、左右の拡開傾斜部の上部に左右の係止突起が形成され、差込係止片を案内スリットに差し込んだとき、該差込係止片の両端の爪部が案内スリットの各拡径傾斜部の上部に形成された夫々の係止突起に係止されることによって上蓋フラップを閉止するようにしたことを特徴とする。
【００１２】
さらに、本発明の請求項３の包装用箱は、請求項１又は２において、上蓋フラップと背面の境界をなす切離折曲線の略中央に沿って背面の上部に所定幅を有する押込片がミシン目状の切離線によって形成され、箱体の天面を上蓋片で閉塞すると共に該上蓋片の上方が上蓋フラップで閉塞された状態で、押込片が上蓋差込片に接着されていることを特徴とする。
【発明の効果】
【００１３】
本発明の包装用箱において、箱体を組み立てるには、底面を閉塞した後、まず、上蓋片を箱体の天面を閉塞する側へ折り込んだ状態にして、該上蓋片の上方に左右の内フラップを折込み、さらに左右の内フラップの上部に上蓋フラップを折込んで被せた状態で差込係止片を案内スリットに差し込む。また、このとき、第１の吊下片と第２の吊下片を同時に立ち上げて合致することによって、第１の吊下片と第２の吊下片に形成された吊下穴を合致させた状態にする。
【００１４】
このような構成においては、左右の内フラップが上蓋片の上方に存在するが、これらの左右の内フラップはその上に折込まれた上蓋フラップで被された状態となるため、外観的にも綺麗な状態となる。また、上蓋フラップによって押え込まれた左右の内フラップが、上蓋片を押さ込む構造となり、合致した第１の吊下片と第２の吊下片を上方に引上げた場合、上蓋片や上蓋フラップが開いたり、上蓋片や上蓋フラップの中央が膨れ上がったりすることがなく、綺麗な吊下状態を維持することが可能となる。
【００１５】
さらに、上記の構成において、第１の吊下片と第２の吊下片の吊下穴にフックを挿入すると、第１の吊下片と第２の吊下片は上蓋片又は上蓋フラップの面内の中央に設けられているため、箱体を垂直状態で吊下げておくことが可能となる。また、箱体は収容物等の重量で下方へ引っ張られるが、第１の吊下片と第２の吊下片の双方の吊下穴が合致した状態でフックに吊下げられた状態にあるため、第１の吊下片と第２の吊下片とはズレの生じない合致状態をたもつことが可能となる。
【００１６】
また、本発明において、箱体の天面を封緘した上蓋片の上方に左右の内フラップを折込んだ状態で、その上に上蓋フラップを被せるようにして差込係止片を案内スリットに差し込んだとき、この差込係止片の両端の爪部が案内スリットの各拡径傾斜部の上部の係止突起に係止された状態で、上蓋フラップを閉止状態にすることができる。
【００１７】
さらに、本発明による包装用箱において、箱体を組み立てた後に、押込片を押し込むことによって、その押圧力で押込片の周囲の切離線が切断される。そして、押込片をさらに押し上げることにより、上蓋フラップと背面とを繋いでいる切離折曲線が切断され、上蓋フラップが背面から離脱し、この上蓋フラップと上蓋片とが共に持ち上げられることにより、箱体の天面を開放状態とすることができる。
【００１８】
さらに、上記のように背面から離脱された上蓋フラップの爪部を係止突起の係止状態から解除すると、上蓋フラップが自由になって案内スリットから取り出すことが可能となる。このようにして上蓋フラップを取り出すと、箱体の天面は上蓋片のみで閉塞された状態となる。この箱体の天面を閉塞している上蓋片は、上記のようにその先端に折曲線を介して上蓋差込片を有する。従って、内フラップを先に天面側に折込んだ状態で、上蓋片を箱体の天面側に折込むことにより、箱体を再封緘することが可能となる。
【図面の簡単な説明】
【００１９】
【図１】本発明の包装用箱に係る箱体の展開図である。
【図２】本発明の包装用箱に係る箱体の底面図である。
【図３】本発明の包装用箱に係る箱体の組立て斜視図であり、（ａ）は天面を開放した状態、（ｂ）は箱体の天面を上蓋片で閉塞した状態を示す。
【図４】本発明の包装用箱に係る箱体の組立て斜視図であり、（ａ）は天面を閉塞した上蓋片の上部に左右の内フラップを折込んだ状態、（ｂ）は上蓋片の第１の吊下片を立ち上げた状態を示す。
【図５】本発明の包装用箱に係る箱体の組立て斜視図であり、（ａ）は上蓋フラップの第２の吊下片を立ち上げた開口部に上蓋片の第１の吊下片を立ち上げて挿通することにより、第１の吊下片と第２の吊下片を合致した状態、（ｂ）は第１の吊下片と第２の吊下片とに形成された吊下穴にフックを挿通した状態を示す。
【図６】本発明の包装用箱に係る箱体の組立て後の斜視図であり、（ａ）は押込片を指で押し込んでいる状態、（ｂ）は押込片を押し込むことによって該押込片を背面から切離し、上蓋フラップと上蓋片と共に持ち上げて箱体の天面を開放状態にしている状態、（ｃ）は上蓋フラップを案内係止片から取り外している状態、(ｄ)は上蓋片で箱体の天面を閉塞した状態を示す。
【発明を実施するための形態】
【００２０】
以下、本発明の実施例について図面を参照しながら説明する。
【実施例】
【００２１】
本実施例の包装用箱は、図１の展開形状に示すように、箱体１の周部には、正面２と背面３と右側面４と左側面５とから形成され、背面３の側部に糊代側片８が形成されている。この糊代側片８を含む正面２と背面３と右側面４と左側面５は夫々の境界に折曲線９、９…を形成してあり、各折曲線９、９…で折り曲げると共に、糊代側片８を右側面４の側部に接着することにより、図３(ａ)に示すような横断面矩形の箱体１が形成される。
【００２２】
また、箱体１の底面７の構造としては、図１の展開形状に示すように、正面２と背面３の夫々の下方に折曲線１１、１１…を介して左右同形状の底蓋片１２ａ、１２ｂが形成されている。各底蓋片１２ａ、１２ｂには、図２に示すように箱体１の底面７を略半分ごとに仕切る仕切線１３ａ、１３ｂが設けられ、底面の略中央にて各仕切線１３ａ、１３ｂから外側へ突出した角部１４ａ、１４ｂを介して斜め辺１０ａ、１０ｂを経て幅広部１５ａ、１５ｂが形成されている。
【００２３】
また、両方の底蓋片１２ａ、１２ｂには、夫々の仕切線１３ａ、１３ｂの略中央と夫々の折曲線１１、１１の端部とを結ぶ線に折曲可能線１６ａ、１６ｂを形成してあり、この折曲可能線１６ａ、１６ｂから外方に形成された部位は側部を少し切除して糊代底片１７ａ、１７ｂとして形成している。
【００２４】
さらに、図１に示すように、箱体１の右側面４と左側面５の夫々の下方には折曲線１１、１１を介して底蓋側片１８ａ、１８ｂが形成されている。
【００２５】
上記の構成により、図２に示すように、箱体１の底面７は、箱体１の右側面４側と左側面５側の夫々の底蓋側片１８ａ、１８ｂと、箱体１の正面２側と背面３側の夫々の底蓋片１２ａ、１２ｂとを、各折曲線１１、１１…で底面７の内側へ折り曲げ、夫々の角部１４ａ、１４ｂ同士を接合した状態で各幅広部１５ａ、１５ｂを対接する仕切線１３ａ、１３ｂの下方側へ敷いた状態にする。また、各糊代底片１７ａ、１７ｂを対接する底蓋側片１８ａ、１８ｂに糊剤等で接着すると、図２に示す底面７の構成となる。
【００２６】
このような箱体１の底面７の構造によれば、夫々の底蓋片１２ａ、１２ｂを矢印で示す左右互い違いの方向へ移動するように箱体１を潰すと、夫々の角部１４ａ、１４ｂが離間すると共に、夫々の折曲可能線１６ａ、１６ｂで折曲される。さらに、各底蓋片１２ａ、１２ｂと各底蓋側片１８ａ、１８ｂとが内側へ折り込まれて、箱体１の正面２と背面３が平状に潰れた状態となる。このように、箱体１を潰した状態にすると、箱体１の収納、保管及び運搬を省スペースで行うことが可能となる。また、上記のように潰した箱体１の底面７を矩形に展開すると、夫々の角部１４ａ、１４ｂ同士が係止された状態で、底面７を矩形の形状に保つことができる。
【００２７】
次いで、本実施例の箱体１の天面６側の構成について述べる。図１に示すように、箱体１の正面２の上方に折曲線１９を介して延長された矩形の上蓋片２０と該上蓋片２０に折曲線２２を介して延長された上蓋差込片２１とが形成されている。なお、上蓋差込片２１の両端部は差込み作業を行い易くするため、湾曲形状に形成されている。また、箱体１の右側面４と左側面５の夫々の上方には、折曲線１９、１９を介して内フラップ２３ａ、２３ｂが折曲げ自在に形成されている。
【００２８】
一方、図１において、箱体１の背面３の上方に、ミシン目等によって切離し可能に形成された切離折曲線２４を介して上方へ延長された上蓋フラップ２５と該上蓋フラップ２５に折曲線２６を介して延長された差込係止片２７とが設けられている。この差込係止片２７には上蓋フラップ２５との境界をなす折曲線２６の両端に互いに内側方向へ切込まれた切込溝３５ａ、３５ｂが形成されると共に、各切込溝３５ａ、３５ｂの上部に差込係止片２７の両端を突出してなる爪部２７ａ、２７ｂが形成されている。
【００２９】
また、箱体１の背面３の上部には切離折曲線２４の略中央に所定幅で連設されてなる押込片３０がミシン目等による切離線３１によって切離し可能に設けられている。
【００３０】
さらに、図１に示すように、箱体１の正面２の上縁における中央部には、上蓋フラップ２５の差込係止片２７を略同幅で差し込み可能にした案内スリット２８が切開されると共に、該案内スリット２８の両端には下方へ傾斜状に拡開された各端部が湾曲形状を有する拡開傾斜部２９ａ、２９ｂが形成されている。
【００３１】
また、上蓋片２０の面内の略中央に形成された所定長さの折曲線３７の両端から案内スリット２８に到るまで、左右の切込線３６ａ、３６ｂで切り込まれた第１の吊下片３６が形成されている。なお、左右の切込線３６ａ、３６ｂは案内スリット２８に向けて幅を縮小するように互いに傾斜状に形成され、これによって第１の吊下片３６が台形のような形状となるように形成されている。
【００３２】
また、この第１の吊下片３６の略中央には吊下穴３８が形成されている。さらに、この第１の吊下片３６は、図４（ｂ）に示すように、折曲線３７で折り曲げられることによって立上げ可能とされている。
【００３３】
一方、上蓋フラップ２５の面内に形成された所定長さの折曲線３２の両端から切離折曲線２４に至るまで、左右の切込線３３ａ、３３ｂで切り込まれてなる第２の吊下片３３が形成されている。
【００３４】
なお、この構成においても、左右の切込線３３ａ、３３ｂは切離折曲線２４に向けて幅を縮小するように互いに傾斜することによって、第２の吊下片３３が第１の吊下片３６と同様に台形のような形状となるように形成されている。
【００３５】
また、この第２の吊下片３３の略中央には吊下穴３４が形成されている。さらに、この第２の吊下片３３もまた、図５（ａ）に示すように、折曲線３２で折り曲げられることによって立上げ可能とされている。
【００３６】
なお、上記の構成において、第１の吊下片３６と第２の吊下片３３とが立ち上げられたときに両者はその外形が合致するように形成されている。また、第１の吊下片３６と第２の吊下片３３との外形が合致したとき、両方の吊下穴３４、３８もまた合致する位置及び形状に形成されている。
【００３７】
上記のように構成された本実施例の包装用箱の箱体１を組み立てるには、図３（ａ）、（ｂ）に示すように、上蓋片２０と上蓋差込片２１とを夫々の折曲線１９、２２で折り曲げ、上蓋差込片２１を箱体１の上方開口に差し込むことによって、箱体１の天面６を上蓋片２０で閉塞する。
【００３８】
次に、図４（ａ）に示すように、箱体１の天面６を閉塞した状態に折り込んだ上蓋片２０の上方に左右の内フラップ２３ａ、２３ｂを折込んで被せる。また、このとき、図４(ｂ)に示すように、上蓋片２０第１の吊下片３６を立ち上げる一方、上蓋フラップ２５の第２の吊下片３３を立ち上げる方向へ折り曲げると、この第２の吊下片３３の立ち上がった跡には切開部３９が形成される。
【００３９】
次いで、上記のように上蓋片２０の上方に被せた内フラップ２３ａ、２３ｂの上部に上蓋フラップ２５を折込んで被せると共に、上蓋片２０から立ち上げた第１の吊下片３６を上蓋フラップ２５の切開部３９を挿通して、第１の吊下片３６を第２の吊下片３３に合致させる。このような構成において、左右の内フラップ２３ａ、２３ｂは上蓋片２０の上方に存在するが、左右の内フラップ２３ａ、２３ｂが最上に折り曲げられた上蓋フラップ２５で被された状態となるため、外観的にも綺麗な状態となる。
【００４０】
さらに、図５（ａ）に示すように、上記の上蓋フラップ２５の差込係止片２７を案内スリット２８に差し込むと、差込係止片２７の両端の爪部２７ａ、２７ｂが案内スリット２８の各拡径傾斜部２９ａ、２９ｂの上部に形成された夫々の係止突起３０ａ、３０ｂに係止される。これによって上蓋フラップ２５を閉止した状態にすることができる。
【００４１】
そして、上記のように上蓋フラップ２５を閉じた状態にすると、図５（ｂ）に示すように、第１の吊下片３６と第２の吊下片３３とが合致する。また、両方の吊下片に形成された吊下穴３８、３４が合致し、この吊下穴３８、３４を商店等に設けられた陳列台等のフックＦに挿入することが可能となる。
【００４２】
上記のように組み立てられた本実施例の包装用箱によれば、上蓋フラップ２５によって押え込まれた左右の内フラップ２３ａ、２３ｂが、上蓋片２０を押え込む構造となり、フックＦで吊下げた状態であっても、また箱体１内に重量のある物品が収納された場合でも、上蓋片２０や上蓋フラップ２５が開いたり、上蓋片２０や上蓋フラップ２５の中央が膨れ上がったりすることなく、綺麗な吊下状態を維持することが可能となる。
【００４３】
さらに、上記の構成によって、第１の吊下片３６と第２の吊下片３３の吊下穴３８、３４にフックＦを挿入すると、第１の吊下片３６と第２の吊下片３３は上蓋片２０又は上蓋フラップ２５の面内の中央に設けられているため、箱体１を垂直状態で吊下げておくことが可能となる。また、箱体１は収納された物品等の重量で下方へ引っ張られるが、第１の吊下片３６と第２の吊下片３３の吊下穴３８、３４がフックＦに吊下げられた状態で下方へ引っ張られるため、第１の吊下片３６と第２の吊下片３３とはズレの生じない合致状態を保つことが可能となる。
【００４４】
さらに、本実施例の包装用箱に係る箱体１の使用形態について説明する。図６（ａ）は箱体１の押込片３０を指で押し込んでいる状態を示すものである。このように押込片３０を押し込むことによって、その押圧力で押込片３０の周囲の切離線３１が切断される。また、図６(ｂ)に示すように、押込片３０が背面３から切離された状態でさらに押し上げると、上蓋フラップ２５と背面３とを繋いでいる切離折曲線２４が切断されることによって、上蓋フラップ２５が背面３から離脱する。次いで、この上蓋フラップ２５と上蓋片２０とが共に持ち上げられることによって、箱体１の天面６が開放状態となる。
【００４５】
さらに、図６（ｃ）は上蓋フラップ２５を案内係止片２９から取り外している状態を示すものである。上記のように背面３から離脱された上蓋フラップ２５の爪部２７ａ、２７ｂを係止突起３０ａ、３０ｂの係止状態から解除すると、上蓋フラップ２５が自由になって案内スリット２８から取り出すことが可能となる。このようにして上蓋フラップ２５を取り出すと、図６(ｄ)に示すように、箱体１の天面６は上蓋片２０のみで閉塞された状態となる。この箱体１の天面６を閉塞している上蓋片２０は、上記のようにその先端に折曲線２２を介して上蓋差込片２１を有し、箱体１の天面６を開閉することが可能である。従って、内フラップ２３ａ、２３ｂを先に天面６側に折込んだ状態で、上蓋片２０を箱体１の天面６側に折込むことによって再封緘をした状態となる。
【産業上の利用可能性】
【００４６】
本発明の包装用箱は、物品を収納した包装用箱をフックで吊下げるとき、物品の重量が大きい場合でも、上蓋フラップが開いたり、膨れ上がったりすることがなく、箱体が垂直状態に整然と吊下げられるようにした包装用箱として利用可能である。
【符号の説明】
【００４７】
１  箱体
２  正面
３  背面
４  右側面
５  左側面
６  天面
７  底面
８  糊代側片
９  折曲線
１０ａ、１０ｂ  斜め辺
１１  折曲線
１２ａ、１２ｂ  底蓋片
１３ａ、１３ｂ  仕切線
１４ａ、１４ｂ  角部
１５ａ、１５ｂ  幅広部
１６ａ、１６ｂ  折曲可能線
１７ａ、１７ｂ  糊代底片
１８ａ、１８ｂ  底蓋側片
１９  折曲線
２０  上蓋片
２１  上蓋差込片
２２  折曲線
２３ａ、２３ｂ  内フラップ
２４  切離折曲線
２５  上蓋フラップ
２６  折曲線
２７  差込係止片
２７ａ、２７ｂ  爪部
２８  案内スリット
２９ａ、２９ｂ  拡開傾斜部
３０  押込片
３０ａ、３０ｂ  係止突起
３１  切離線
３２  折曲線
３３  第２の吊下片
３３ａ、３３ｂ  切込線
３４  吊下穴
３５ａ、３５ｂ  切込溝
３６  第１の吊下片
３６ａ、３６ｂ  切込線
３７  折曲線
３８  吊下穴
３９  切開部
Ｆ  フック
【図１】
2012041065.tif 000003
【図２】
2012041065.tif 000004
【図３】
2012041065.tif 000005
【図４】
2012041065.tif 000006
【図５】
2012041065.tif 000007
【図６】
2012041065.tif 000008